(57)【要約】【課題】低コストで製造できるとともに、耐久性があり、また操作フィーリングが向上させること。【解決手段】収納室２４を有するハウジング２０と、収納室２４内に収納されるロータ３０と、ハウジング２０に形成された支持軸２３と、ロータ３０に形成され、支持軸２３を受け入れてハウジング２０とロータ３０とを回動自在に支持する受入部３５とを有する軸受Ｋと、表面がシリコンコーティングされた環状の弾性材料で形成され、ハウジング２０に対するロータ３０の回転を制動するＯリング４０とを備えている。【選択図】図２
2013100887.tif 000002
【特許請求の範囲】
【請求項１】
収納室を有するハウジングと、
前記収納室内に収納されるロータと、
前記ハウジングと前記ロータの一方に形成された支持軸と、前記ハウジングと前記ロータの他方に形成され、前記支持軸を受け入れて前記ハウジングと前記ロータとを回動自在に支持する受入部とを有する軸受と、
表面がシリコンコーティングされた環状の弾性材料で形成され、前記ハウジングに対する前記ロータの回転を制動する制動部材とを備えていることを特徴とする回転式ダンパ。
【請求項２】
前記シリコンコーティングは、厚さ２〜５μｍに塗膜されていることを特徴とする請求項１に記載の回転式ダンパ。
【請求項３】
前記ロータには、前記支持軸と前記収納室内壁との間を分割する中間壁部が突出形成され、
前記制動部材は、前記中間壁部と前記支持軸の間、前記中間壁部と前記収納室内壁の間の少なくとも一方に配置されていることを特徴とする請求項１に記載の回転式ダンパ。
【請求項４】
前記ハウジングには、前記支持軸と前記収納室内壁との間を分割する中間壁部が突出形成され、
前記ロータには、前記中間壁部より外径側、前記収納室内壁より内径側に外壁部が前記収納室内に突出形成され、
前記制動部材は、前記中間壁部と前記外壁部の間に配置されていることを特徴とする請求項１に記載の回転式ダンパ。
【請求項５】
前記ハウジングの収納室内壁には、前記ロータを固定する固定爪が設けられていることを特徴とする請求項１に記載の回転式ダンパ。
【請求項６】
前記ハウジングの外周部には歯車が形成されていることを特徴とする請求項１に記載の回転式ダンパ。
【発明の詳細な説明】
【技術分野】
【０００１】
本発明は、円形リングの弾性力で歯車の回転力を制動する回動式ダンパに関し、特に低コストで製造できるとともに、耐久性があり、また操作フィーリングを向上させることができるものに関する。
【背景技術】
【０００２】
ケースとカバーを嵌合して形成される空間部にオイルを充填し、ロータをオイル中で回転させ、オイルの粘性により回転を制動するよう構成された回動式ダンパが知られている。オイルを充填した回動式ダンパは、ケースとカバーの嵌合部にオイル漏れ防止用のリングを設けたり、ケースとカバーの外周接触面に超音波溶着を施したり、またはカバーをケースに圧入したりしてケースとカバーの接触面の隙間を介して回転制動用のオイルが漏れるのを防止するよう構成されている。
【０００３】
一方、固定部（ハウジング）と可動部（ロータ）との間に弾性材料で形成された円形リング（Ｏリング）を配置し、この円形リングの摩擦力によりロータの回転を制動する回転式ダンパが知られている（例えば、特許文献１参照）。なお、円形リングにグリスが塗布されたものもある。
【先行技術文献】
【特許文献】
【０００４】
【特許文献１】特開平８−１２１５２２号公報（段落番号［００１０］、［００１３］及び図１）
【発明の概要】
【発明が解決しようとする課題】
【０００５】
上述した回転式ダンパでは、次のような問題があった。すなわち、オイルを用いたものにあっては、ケースとカバーの外周接触面の隙間からオイルが漏れる場合がある。また、ケースとカバーの外周接触面を超音波溶着したり、カバーをケースに圧入した場合であっても、超音波溶着や圧入が均一に行われないと、オイル漏れが発生する虞がある。さらに、オイルの充填作業等の作業工程が増える等により製造コストが高くなるという問題がある。
【０００６】
一方、Ｏリングの摩擦力を用いたものにあっては、耐久性が低く、トルクが安定しないという問題があった。また、グリスが塗布されたものは、グリスによって、Ｏリングの素材に物理的・化学的変化が生じ個体差・経時変化等により、トルクが安定しないという問題があった。さらに、起動トルクと安定トルクの差があるため、ダンパとしてのフィーリングが悪いという問題もあった。
【０００７】
そこで本発明は、低コストで製造できるとともに、耐久性があり、また操作フィーリングを向上させることができる回転式ダンパを提供することを目的としている。
【課題を解決するための手段】
【０００８】
前記課題を解決し目的を達成するために、本発明の回転式ダンパは次のように構成されている。
【０００９】
収納室を有するハウジングと、前記収納室内に収納されるロータと、前記ハウジングと前記ロータの一方に形成された支持軸と、前記ハウジングと前記ロータの他方に形成され、前記支持軸を受け入れて前記ハウジングと前記ロータとを回動自在に支持する受入部とを有する軸受と、表面がシリコンコーティングされた環状の弾性材料で形成され、前記ハウジングに対する前記ロータの回転を制動する制動部材とを備えていることを特徴とする。
【発明の効果】
【００１０】
本発明によれば、低コストで製造できるとともに、耐久性があり、また操作フィーリングが向上させることが可能となる。
【図面の簡単な説明】
【００１１】
【図１】本発明の一実施の形態に係る回転式ダンパを示す分解斜視図。
【図２】同回転式ダンパを示す縦断面図。
【図３】同回転式ダンパの変形例を示す縦断面図。
【発明を実施するための形態】
【００１２】
図１は本発明の一実施の形態に係る回転式ダンパ１０を示す分解斜視図、図２は回転式ダンパ１０を示す縦断面図である。なお、回転式ダンパ１０は、プリンタや複写機の紙送り機構や開閉蓋の蝶番等に用いられている。
【００１３】
回動式ダンパ１０は、筒状のハウジング２０と、このハウジング２０内に回動自在に挿入（収納）された筒状のロータ３０と、ハウジング２０とロータ３０との間に配設されたＯリング（制動部材）４０とを備えている。なお、ハウジング２０は例えばポリアセタールの一般グレードで形成されている。また、ロータ３０はポリアセタールの摺動グレードで形成されている。
【００１４】
ハウジング２０は、筒体状の本体２１と、本体２１の一方の開口を閉塞する底部２２と、底部２２から本体２１の軸芯線に沿って形成された支持軸２３とを備えている。なお、本体２１の内壁面（収納室内壁部）２１ａと支持軸２３との間には、中空状の収納室２４が形成されている。本体２１の収納室２４の内壁の上縁には、後述するロータ３０の係合部３１ａを固定する固定爪２４ａが設けられている。
【００１５】
本体２１の外周面２１ｂには、歯車が形成されており、他の部品に設けられた歯車から駆動力を受けたり、歯車へ伝達する機能がある。
【００１６】
ロータ３０は、同軸的に配置された外筒３１と、内筒３２と、外筒３１の一方の開口を閉塞する底部３３と、この底部３３から図２中下方に突設され、前述した収納室２４を仕切る環状の中間壁部３４とを備えている。中間壁部３４は、支持軸２３と収納室２４内壁との間を分割する。また、外筒３１の外壁の下縁には係合部３１ａが設けられており、固定爪２４ａと係合する。
【００１７】
内筒３２の図２中下部には支持軸２３の外周部をその内周部で受け入れてハウジング２０とロータ３０とを回動自在に支持する受入部３５が形成されている。なお、支持軸２４と受入部３５とで軸受Ｋを形成している。また、支持軸をロータ３０側、受入部をハウジング２０側に設けてもよい。
【００１８】
Ｏリング４０は、弾性を有する樹脂材で形成され、表面に厚さ２〜５μｍのシリコンコーティングの塗膜が形成されている。Ｏリング４０は、収納室２４の内壁面２１ａと中間壁部３４の外壁との空間Ｐに配設される。
【００１９】
このように構成された回転式ダンパ１０では、ハウジング２０とロータ３０とが軸受Ｋを回転軸として相対的に回転・回動する際、収納室２４の内壁とＯリング４０、中間壁部３４の外壁とＯリング４０とが摩擦することにより、回転力が吸収される。このとき、Ｏリング４０の表面にはシリコンコーティングの塗膜が施されているため、Ｏリング４０の素材である樹脂等の磨耗や劣化が防止できる。具体的には１万回以上の摺動に耐えることが可能となる。また、オイルの供給・封止や、グリスの塗布等の作業工程が不要になるため、製造コストを削減できる。さらに、シリコンコーティングの作用及び弾性部材の劣化が無いため、起動トルクと安定トルクとの差があまり無く、トルク変動が少なく、操作フィーリングが向上する。
【００２０】
なお、シリコンコーティングの塗膜厚が、２μｍ未満であるとシリコンコーティングの機能が発揮できず、また、５μｍを超えるとＯリング４０の設計寸法から外れて廻りづらくなるとともに、塗布コストが高くなる。したがって、シリコンコーティングの厚さは２〜５μｍが好ましい。
【００２１】
また、ロータ３０の外筒３１の外壁の下縁には係合部３１ａが設けられており、ハウジング２０の固定爪２４ａと係合するため、いったん組み立てると、簡単にハウジング２０とロータ３０とが分離することがない。
【００２２】
このように本実施の形態に係る回転式ダンパ１０は、低コストで製造できるとともに、耐久性があり、また操作フィーリングが向上させることが可能となる。
【００２３】
なお、制動力を調整するため、Ｏリング４０を挿入する位置を変えてもよい。例えば、上述した収納室２４の内壁と中間壁部３４の外壁との空間の他、中間壁部３４の内壁と支持軸２３の外壁の空間Ｑに挿入してもよい。また、空間Ｐ，Ｑの両方に挿入してもよい。
【００２４】
図３は、上述した回転式ダンパ１０の変形例に係る回転式ダンパ１０Ａを示す断面図である。なお、図３において、図２と同一機能部分には同一符号を付し、その詳細な説明は省略する。
【００２５】
回動式ダンパ１０Ａは、筒状のハウジング２０Ａと、このハウジング２０Ａ内に回動自在に挿入（収納）された筒状のロータ３０Ａと、ハウジング２０Ａとロータ３０Ａとの間に配設されたＯリング４０とを備えている。
【００２６】
ハウジング２０Ａは、筒体状の本体２１と、本体２１の一方の開口を閉塞する底部２２と、底部２２から本体２１の軸芯線に沿って形成された支持軸２３とを備えている。なお、支持軸２３と内壁面２１ａとの間を分割する中間壁部２２ａが底部２２から上方に突出形成されている。
【００２７】
ロータ３０Ａは、同軸的に配置された外筒３１と、内筒３２と、外筒３１の一方の開口を閉塞する底部３３とを備えている。なお、外筒３１には、中間壁部２２ａより外径側であって、内壁面２１ａより内径側には外壁部３１ｂが下方に突出形成されている。
【００２８】
Ｏリング４０は、外壁部３１ｂの内側面と中間壁部２２ａの外側面との空間Ｒに配設される。
【００２９】
このように構成された回転式ダンパ１０Ａでは、ハウジング２０Ａとロータ３０Ａとが軸受Ｋを回転軸として相対的に回転・回動する際、外壁部３１ｂの内側面とＯリング４０、中間壁部２２ａの外側面とＯリング４０とが摩擦することにより、回転力が吸収される。したがって、上述した回転式ダンパ１０と同様の効果を得ることができる。
【００３０】
なお、本発明は前記実施の形態に限定されるものではなく、本発明の要旨を逸脱しない範囲で種々変形実施可能であるのは勿論である。
【符号の説明】
【００３１】
１０…回動式ダンパ、２０…ハウジング、２１…本体、２１ａ…内壁面、２３…支持軸、２４…収納室、３０…ロータ、３１…外筒、３２…内筒、３４…中間壁部、３５…受入部、４０…Ｏリング、Ｋ…軸受、Ｐ，Ｑ…空間。
【図１】
2013100887.tif 000003
【図２】
2013100887.tif 000004
【図３】
2013100887.tif 000005